(57)【要約】      （修正有）【課題】家庭において日常使用する物品で水害、津波等の災害発生時には防災器具として使用できる物品を提供する。【解決手段】犬舎として用いられる筐体２と、防水加工が施され、筐体２内部への水の進入を抑制する扉３とから構成される防災器具１。【選択図】図１
2018118711.tif 000002
【特許請求の範囲】
【請求項１】
犬舎として用いられる筐体と、
防水加工が施され、前記筐体内部への水の進入を抑制する扉と、
を有することを特徴とする防災器具。
【請求項２】
前記筐体に当該防災器具同士を積み重ねる機構を備える請求項１に記載の防災器具。
【請求項３】
取り外して互いに接続可能な複数のハンガー棒を備え、クローゼットとして用いられる筐体と、
防水加工が施され、前記筐体内部への水の進入を抑制する扉と、
を有し、
前記ハンガー棒は、前記筐体を叩くバチとして用いられ、前記互いに接続されたハンガー棒は、旗の棒、釣り竿、杖の少なくとも１つとして用いられることを特徴とする防災器具。
【発明の詳細な説明】
【技術分野】
【０００１】
本発明は防災器具に関する。
【背景技術】
【０００２】
水難救命器具が知られている。例えば、少なくとも１つの加圧ガスのボトルを有する救命資材を備えており、容器に収納される型の救命いかだの水難救命器具であり、容器が少なくとも第１防水隔室と第２防水隔室とを有する事と、前記防水隔室が水密仕切り壁によって分割されていて、第１防水隔室が救命いかだを有し、第２防水隔室が救命資材を有し、第１防水隔室を開けることなしに第２防水隔室を開けて第２防水隔室内に具備される救命資材を第１防水隔室を開けることなしに検査及び管理する事が可能である器具が知られている。
【先行技術文献】
【特許文献】
【０００３】
【特許文献１】特表平６−５０３７７０号公報
【発明の概要】
【発明が解決しようとする課題】
【０００４】
家庭に日用品以外の救命器具をおいておくと、無駄なスペースを占有してしまう。また、救命器具は普段使わないため、災害時に救命器具をどこにおいたかを忘れてしまい、避難が遅れる可能性がある。
１つの側面では、本発明は、避難できる可能性を高めることを目的とする。
【課題を解決するための手段】
【０００５】
上記目的を達成するために、開示の防災器具が提供される。この防災器具は、犬舎として用いられる筐体と、防水加工が施され、筐体内部への水の進入を抑制する扉と、を有している。
【発明の効果】
【０００６】
１態様では、避難できる可能性を高めることができる。
【図面の簡単な説明】
【０００７】
【図１】第１の実施の形態の防災器具を示す図である。
【図２】第２の実施の形態の防災器具を示す図である。
【図３】第２の実施の形態の防災器具の内部を説明する図である。
【図４】実施の形態の防災器具の変形例を説明する図である。
【発明を実施するための形態】
【０００８】
以下、実施の形態の防災器具を、図面を参照して詳細に説明する。
＜第１の実施の形態＞
図１は、第１の実施の形態の防災器具を示す図である。
第１の実施の形態の防災器具１は、矩形（直方体）の筐体２と扉３とを有している。
【０００９】
筐体２の内部は空洞であり、例えば長さ１．５ｍ、幅９０ｃｍ、奥行き９０ｃｍ程度の大型犬が入れる位の大きさである。なお、大きさは一例であり、この大きさに限定されないのは言うまでも無い。
防災器具１の素材は特に限定されないが、衝撃に強い樹脂や木等が挙げられる。
防災器具１は、普段は犬舎として用いることができ、非常時に人間とペットが入ることができる。
【００１０】
筐体２には、他の防災器具１とつなぎ合わせるための凹部２ａと、脚部２ｂとが設けられている。脚部２ｂを他の防災器具１（図示せず）の凹部２ａに嵌め合わせることで、防災器具１を縦方向に複数段積み上げることができる。これにより、例えば防災器具１を用いて壁を作ることができる。なお、図１では、縦方向に積み重ねる機構を図示したが、防災器具１を横方向に複数個連結する機構を備えていてもよい。
扉３は、防水加工が施されており、扉３を閉めることで筐体２の内部に水が入ることを抑制することができる。
【００１１】
扉３の表面および裏面（筐体２内側）にはドアノブ４が設けられている。内側には鍵５が設けられている。なお、ドアノブ４および鍵５の形状や種類は特に限定されない。
【００１２】
この防災器具１を用いる場合は、例えば地震や津波等の際に、内部に入り鍵５をかける。これにより、物が倒れてきたりした場合に当たって怪我をすることを抑制することができる。また、津波の際にも浮上することができる。
なお、防災器具１は、扉３側が上を向くように重心が設計されるのが好ましい。これにより、防災器具１が水に浮いているときに扉３を空けることができる。
【００１３】
また、災害後に防災器具１は、住居として活用することができる。住居として活用することを考慮すると、防災器具１の奥行きは、人間が足を伸ばせる奥行き（例えば２ｍ程度）であるのが好ましい。防災器具１を住居として活用することで、プライバシーを容易に確保することができる。
【００１４】
また、防災器具１には、災害時に便利な機構が備わっていてもよい。例えば、飲料水の入ったペットボトルや、非常用の食料等を収納する機構がついていてもよい。また、筐体２内には、利用者の位置を固定するベルト等が設けられていても良い。
【００１５】
以上説明したように、実施の形態の防災器具１によれば、普段から住居内に配置されている犬舎を防災器具として用いるようにした。従って、災害時に素早く防災器具１に逃げ込むことができる。
＜第２の実施の形態＞
次に、第２の実施の形態の防災器具について説明する。
以下、第２の実施の形態の防災器具について、前述した第１の実施の形態との相違点を中心に説明し、同様の事項については、その説明を省略する。
図２は、第２の実施の形態の防災器具を示す図である。
【００１６】
防災器具１ａは、クローゼット兼用の避難箱である。すなわち、防災器具１ａは、普段はクローゼットとして洋服等を収納するのに用いることができ、非常時には人間が入ることができる。
防災器具１ａは、棺桶のような形状をなしている。防災器具１ａの大きさは、例えば長さ２ｍ、幅９０ｃｍ、奥行き９０ｃｍ程度である。
図３は、第２の実施の形態の防災器具の内部を説明する図である。
【００１７】
防災器具１ａの筐体２ａ内部には、ハンガー等を引っかけるハンガー棒６ａ、６ｂが設けられている。ハンガー棒６ａ、６ｂには、互いを接続することができる接続機構が設けられており、これらを接続することによりハンガー棒６ａ、６ｂを１本の棒（以下、接続棒という）として用いることができる。
【００１８】
この接続棒は、例えば、防災用具１ａが水に浮かんでいるときに救助のために旗の棒として用いることができる。また、オールのように用いることで移動したり、何かを突っついたりすることもできる。場合によっては、釣り竿にもなり、魚を取ることができる。また、杖として用いることもできる。なお、旗や、接続棒に着脱可能な水かき（ブレード）や、釣り糸等が防災器具１ａに収納されていてもよい。
【００１９】
また、災害時に防災器具１ａが地面やがれき等に埋もれた場合には、利用者はハンガー棒６ａ、６ｂを太鼓のバチのように用いて筐体２ａを叩くことで音を出し、救助を呼ぶことができる。
第２の実施の形態の防災器具１ａによれば、第１の実施の形態の防災器具１と同様の効果が得られる。
【００２０】
なお、前述した２つの防災器具１、１ａに限らず、日常の矩形の構造物を防災器具として用いることができる。例えば、屋外に設置してある物置を防災器具として用いることができる。
図４は、実施の形態の防災器具の変形例を説明する図である。
【００２１】
図４に示す防災器具１ｂは、図１に示す防災器具１と基本的な形状は同じであるが、扉３の代わりに防水加工が施された引き戸３ａ、３ｂを備えている。ノブ４ａおよび鍵５ａの機能は、ドアノブ４および鍵５と同様である。
【００２２】
以上、本発明の防災器具を、図示の実施の形態に基づいて説明したが、本発明はこれに限定されるものではなく、各部の構成は、同様の機能を有する任意の構成のものに置換することができる。また、本発明に、他の任意の構成物や工程が付加されていてもよい。
また、本発明は、前述した各実施の形態のうちの、任意の２以上の構成（特徴）を組み合わせたものであってもよい。
【符号の説明】
【００２３】
１、１ａ、１ｂ  防災器具
２、２ａ  筐体
３、３ａ  扉
４  ドアノブ
５  鍵
６ａ、６ｂ  ハンガー棒
【図１】
2018118711.tif 000003
【図２】
2018118711.tif 000004
【図３】
2018118711.tif 000005
【図４】
2018118711.tif 000006